(57)【要約】【課題】  熱さ、冷たさからの遮断や、掴みやすさ、落下、転倒の回避への配慮のある、子供や手の力の弱い人にも使い易い、コップホルダーを提供する。【解決手段】  水平面に向けて垂直程度の方向を示す、上下向きの内空が同幅か上側の方が広い内筒部と、前記内筒部の上側を外側へ捲り曲げて又は前記内筒部の上側への接合によって、前記内筒部より径の大きい外筒部を設けることを特徴とする。【選択図】図１
2019162397.tif 000002
【特許請求の範囲】
【請求項１】
水平面に向けて垂直程度の方向を示す、上下向きの内空が同幅か上側の方が広い内筒部と、前記内筒部の上側を外側へ捲り曲げて又は前記内筒部の上側箇所への接合によって、前記内筒部より径の大きい外筒部を設けることを特徴とする、二重型コップホルダー。
【請求項２】
外筒部か前記外筒部と内筒部の境界付近に、前記外筒部を外側へ捲り曲げるための、欠け所ライン、穴、スリット、切り込み、じゃばら、シャーリング、幅広箇所等の一つ以上の緩みを生む構造で設けたことを特徴とする、請求項１記載の二重型コップホルダー。
【請求項３】
棒状、逆雨樋状、半円柱状、管状等の外筒部を、内筒部上端箇所に設けたことを特徴とする、請求項１、２記載の二重型コップホルダー。
【請求項４】
扇形か長方形のシート体の側辺側に接合箇所を設け、左右二箇所の前記側辺側を平面状に重ね繋ぎ合わせることによって、水平面へ向けて垂直程度の方向を示す、上下向きの内空が同幅か上側の方が広い筒体かカップを形成し、前記筒体かカップの上端箇所を波状に、欠け所形成ラインで切り取って、又は前記筒体かカップの側面部の外側に、棒状、逆雨樋状、半円柱状、管状等の突起体を加えて設けたことを特徴とする、二重型コップホルダー。
【発明の詳細な説明】
【技術分野】
【０００１】  コップの表面周囲を包み保護し熱さ冷たさを遮断し、転倒防止、落下防止の可能な、子供や手の力の弱い人にも使い易い、二重型ホルダーに関する。
【背景技術】
【０００２】
【先行技術文献】
【特許文献１】特開２０００−２２９６７７
【特許文献２】特開２０１３−３９３４９
【特許文献３】特開２０１３−８１７２４
【０００３】
【発明の概要】
【発明が解決しようとする課題】
【０００４】  そのために次のような問題点があった。
熱さ冷たさからの遮断や持ちやすさに対して配慮不足であり、転倒への回避への配慮が不足していた。ガラスコップでは冷たい飲み物が入ると水滴が生じ濡れて滑り易くなり、立食パーティでナプキンで一つ一つ包んで用意されていた。コーヒーカップの取って部が掴みにくかった。集団内で個人分の違いを見つけにくかった。
・特開２０００−２２９６７７について述べると、エンボス加工の断熱層によって厚み    を増したので温度における解決は出来るが、転倒を防ぐストッパー機能を有さない。    コップを持つ場合に取って部を持つことになり、指先の不自由な者には不向きであっ    た。
・特開２０１３−３９３４９について述べると、複数の紙層により熱さからの遮断は出    来ているが、指先に力のない者に対する持ち易さの解決は出来ていない。転倒を防ぐ    ストッパーにはならない。
・特開２０１３−８１７２４について述べると、指先に力のない者にとっては持ち易さ    の解決は出来ていない。転倒を防ぐためストッパーにはならない。
【発明を解決するための手段】
【０００５】  水平面に向けて垂直程度の方向を示す、上下向きの内空が同幅か上側の方が広い内筒部と、前記内筒部の上側を外側へ捲り曲げて又は前記内筒部の上側への接合によって、前記内筒部より径の大きい外筒部を設けることを特徴とする。
【発明の効果】
【０００６】イ）  子供や手の不自由な人にも使いやすくなった。
ロ）  空間を挟む二重層になるので、熱さ、冷たさの対応と選択が出来ようになった。空      気を介しているので、より一層熱さ冷たさを遮断し易くなった。
ハ）  ストッパー機能もあり、コップは転倒しにくくなった。
ニ）  外筒部を手の上に載せる使い方も出来るため、落下防止が出来、握力の弱い者にと      って持ち易くなった。
ホ）  軽く掴む必要のある紙コップに対して、コントロールしにくい使用者が比較的強く      握っても、凹んで中の熱い飲み物を押し出すことがなくなった。
ヘ）  強く持たなければならないガラスのコップに対して柔軟なシート体で対処し、硬く      強く握ってもコップを傷つけることなく安全に掴むことが出来るようになった。
ト）  持ちにくい取って部は不要になった。
チ）  カラーの違いがつけられ、使用中のコップの自他の区別が出来るようになった。
【図面の簡単な説明】
【０００７】
【図１】斜視図である。
【図２】展開図と使用斜視図である。
【図３】端面図である。
【図４】端面図と斜視図である。
【図５】変形形態の使用図である。
【発明を実施するための形態】
【実施例１】
【０００８】  以下、本発明の実施の形態を説明する。先ず概略説明をする。
紙コップやガラスコップ、陶器等の水溶液用容器が主な対象である。上端の繋がった二重の筒体構造にし、熱さ冷たさの遮断用や、掴み易さへの機能を持つ。内外どちらかの筒体がコップ下端と少なくとも同じ水平位置に届くようにして転倒防止用とする。また握った手の上側に載る箇所を有する形状にし、落下防止用とする。
材質として、パルプ、シリコン、ゴム、和紙などの紙類や布や合成生地、プラスチック等多種存在する。特記しない場合は、柔軟、硬質の両方を兼用し、材質が明らかな場合は説明しない。ゴム以外の場合、対象容器の中間辺りに密着出来る寸法にするか、使用時にその状態になる方法を模索する。様々な彩色は可能である。ガラスコップの場合は、内側に吸水機能を有する方が望ましい。
突っ張り感を取り除くために欠け所を設けるが、続けて穴も開けることで更にこの効果が増す。筒体の捲る位置より上部を差を設け幅広くする方法もある。材質に伸縮性が有れば、緩みのための細工については選択の範囲である。底面部の有無は選択する。
筒体状態から使用する場合と平面状シート体から使用する場合がある。【０００９】  図１、図２の斜視図を用いて、内筒部の任意の上側を捲り曲げて外筒部を設ける型を説明する。外筒部は下端へ向き、内、外の筒体の高さは同じか一方が長く、長い方の下端が対象容器の底面部位置以下へ到達する。
図１ａは中間近郊の、折り曲げ位置（２）より上側が外筒部（３）、下側が内筒部（１）の筒体とし、内空は上方に向けて広がる構成を示す。成型後に外筒部下端になる上端箇所（４）と、内筒部の下端箇所（５）がある。
ｂは、本体にコップ（６）を差し込んでセットした状態で、外筒部が内筒部より短い場合である。外筒部上部を捲って外側に曲げる時、上側を自然に大きくするより、折り曲げ位置から、外筒部の上側の径を段差をつけて大きくする方がより捲れやすい。段差については、外筒部側の上端にギャザーを入れる方法や幅広部分を切り外す等で内筒部との径を合わせて縫合する作り方がある。
ｃは外筒部の上端箇所に欠け所形成ライン（７）を数箇所に設ける場合の、任意の位置の断面状態を示す。【００１０】  図２ａは本願を作成する展開図の一例である。扇形での側辺部（８）に接合箇所（９）を設け、ここに粘着テープ等を貼付し、平面状に重ね合わせて筒状にする。材質が厚みや張りを有する場合なら、両側辺部に凹凸箇所を設け、着脱可能にしても良い。緩みを持たせる又は張りを取り除くために、上端に欠け所形成ライン（７）を設け、半円状箇所（１０）や花弁状箇所を残す。この縦向きの長さによっては、扱いにくくなり限界があるため、半円状から切り込み状態を引き継ぐように、穴（１１）を設ける。欠け所を設ければ緩みと共に、次の図ｂのように飲み口箇所（１２）が生じる。緩みは容器を入れ易くする目的もある。
ｂは、ａを成型した場合である。破線箇所の折り曲げ位置（２）から上の周囲を差を設けて幅広にすれば、より簡単に捲り曲げられる。材質にもよるのでこれは選択の範囲である。硬質材では、デザイン的に半円状、花弁状にし穴を開ける。内筒部の下端箇所（５）に切り込み（１３）を入れても良く、硬質材ならばこの付近を広げて設ける。
ｃは前図ｂの上側の外筒部を捲り曲げた斜視図で、外筒部（３）を逆雨樋のような曲線で設け、穴を設ける。当図で下端位置のみを透明箇所として、底面部（１４）が底面部の一部が欠けた形状のストッパー類を設ける場合の位置を示す。【００１１】  使い方について図２を用いて説明する。ａの場合、シート体を対象容器に巻いて、左右の側辺部（８）同士を平面状に繋ぐ。使用中に水滴で接合出来る可能性もある。熱さ、冷たさの遮断ができればそのままの一重で構わず、内筒部を掴んでコップを傾けて口に運ぶ。ｃのように外筒部を捲って使うとき、外筒部（３）を含めて掴む、又は内筒部（１）と外筒部の間に手を入れて、外筒部を手のり箇所にして内筒部の外側から掴む。
これらの使い方は以下に準じ、特別な場合には説明をする。【００１２】  図３〜図５を用いて、外筒部を先に捲り曲げた型を説明する。
図３では柔軟材使用の場合を、使用端面図で説明する。
ａは、外筒部（３）の上端が下側を掴むことによって膨らむ形態である。内筒部（１）の下側までを折り曲げ位置（２）辺りと同じ空間の径で設ければ、コップは下方が狭いので底側に隙間（１５）が生じ自然に下端が広がり、転倒防止の力を強める。意図的に広くしてもよい。
ｂは、外筒部の長さを短くし上端側に膨らみを持たせた、ｃは外筒部を渦巻状で設けた場合である。
使い方としては、ａは外筒部を持てば上端が膨らむので、その膨らみを手のり箇所として持つ。手に外筒部が載り落下防止のメリットが生じる。
ｂ、ｃでは、ａとは異なり既に膨らみがあるので、外筒部を手の上に載せる。【００１３】  図４、図５で硬質材使用の形態を説明する。
図４のａ、ｂは使用端面図、ｃは使用斜視図である。
ａは２ｃに類似し、逆雨樋状、ｂは半円柱が棒状で、内筒部（１）の上端外側を一周した場合である。ｃは管状で一部に設けた場合で、連続が途切れた空間箇所の左右は、側面部端部（１６）である。側面部の一部が縦割で欠損した形状である。
使い方では外筒部の下側を持つ。膨らみによって落下防止の作用が生じる。ｃの欠損型の場合は他と同様にコップを上側から差し込むか、空いた側から容器をはめる。
図５で湯飲み茶わん（１７）を対象にし、部分的に外筒部（３）を有する場合を説明する。
ａは平面図、ｂは正面図、ｃは透明使用図である。使い方は前記同様である。
【符号の説明】
【００１４】  １    内筒部                ２    折り曲げ位置        ３    外筒部
４    上端箇所              ５    下端箇所            ６    コップ
７    欠け所形成ライン      ８    側辺部              ９    接合箇所
１０  半円状箇所            １１  穴                  １２  飲み口箇所
１３  切り込み              １４  底面部              １５  隙間
１６  側面部端部            １７  湯飲み茶わん
【図１】
2019162397.tif 000003
【図２】
2019162397.tif 000004
【図３】
2019162397.tif 000005
【図４】
2019162397.tif 000006
【図５】
2019162397.tif 000007
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
水平面に向けて垂直程度の方向を示す、内空の径が同じ長さか上側の方が長い形状の内筒部と、前記内筒部の上端箇所を延長し外側へ捲り曲げて又は前記上端箇所への接合か成形固定によって外筒部を設け、前記外筒部は前記内筒部の径より長い径を保ち下端へ向き、前記外筒部の長さは前記内筒部より短いことを特徴とする、二重型コップホルダー。
【請求項２】
外筒部か前記外筒部と内筒部上端の境界付近に、欠け所、穴、スリット、切り込み、じゃばら、シャーリング、幅広箇所等の一つ以上の緩みを生む形状で設けたことを特徴とする、請求項１記載の二重型コップホルダー。
【請求項３】
棒状、逆雨樋状、半円柱状、管状等の外筒部を、内筒部上端から外側に突き出して設けたことを特徴とする、請求項１記載の二重型コップホルダー。
【請求項４】
内筒部の内側の壁面に、吸水性を有する材質物やクッション性を有する材質物等を設けたことを特徴とする、請求項１、２、３記載の二重型コップホルダー。
【請求項５】
帯状の扇形か長方形のシート体の長い側の端辺箇所に接合箇所を設け、前記シート体を平面状に重ね繋ぎ合わせることによって、水平面へ向けて垂直に近い方向を示す、内筒部の内空の径が同幅か上側の方が長い筒体かカップ体を形成し、前記筒体かカップ体の側面部の上端側に、数箇所の欠け所を設け、又は側面部の上端から外側に突き出して、棒状、逆雨樋状、半円柱状、管状等の突起体を設けたことを特徴とする、二重型コップホルダー。
【手続補正２】
【補正対象書類名】明細書
【補正対象項目名】０００１
【補正方法】変更
【補正の内容】
【０００１】  握力の弱い者でもコップを確実に握ることが出来るように、持つ手の上に載せられるカバー類を設けた、二重型ホルダーに関する。
【手続補正３】
【補正対象書類名】明細書
【補正対象項目名】０００５
【補正方法】変更
【補正の内容】
【０００５】  水平面に向けて垂直程度の方向を示す、内空の径が同じ長さか上側の方が長い形状の内筒部と、前記内筒部の上端箇所を延長し外側へ捲り曲げて又は前記上端箇所への接合か成形固定によって外筒部を設け、前記外筒部は前記内筒部の径より長い径を保ち下端へ向き、前記外筒部の長さは前記内筒部より短いことを特徴とする。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
筒体かカップ体の内筒部が有り、前記内筒部の上方や外方へ延長して波状、花弁状、鋸の刃状等の任意の間隔で並ぶ凸状片や、じゃばら等の幅広機能箇所、ゴム、伸縮材、の緩みの、また前記内筒部の上端か側面から突き出して、平板状から逆雨樋状、半円状、半球状、Ｖ字状等の凸状体並びに出窓状の凸状部の、前記一つ以上の型で前記内筒部に対し一部ないしは一周して外筒部を設けたことを特徴とする、二重型コップホルダー。
【請求項２】
概略形状が長方形の、或いは扇形の、上辺と下辺が直線かカーブを描く帯状のシート体があり、前記シート体の帯方向での上辺側を一周して連続する切れ目によって数個の凸状片を有し、前記凸状片は波状や花弁状、鋸の刃状等を象り隙間を有し、前記帯方向での上辺と下辺の長さより短い側辺の付近に接合箇所を設けて、二箇所の前記接合箇所を平面状に重ねて繋ぎ合わせることによって、前記シート体の下端周囲が水平面に対し斜めか同位を示す立体状となる内筒部を形成したことを特徴とする、二重型コップホルダー。
【請求項３】
内筒部の上端か側面に、底面が横一状が雨樋状か底面となるＶ字状による奥行幅分の線状の、凸状体の底面から上方へ前面部や側面部を設けて、出窓状の凸状部を設けたことを特徴とする、請求項１記載の二重型コップホルダー。
【請求項４】
内筒部の内側壁面に、吸水性やクッション性を有する材質物を設けたことを特徴とする、請求項１、２、３記載の二重型コップホルダー。
【手続補正２】
【補正対象書類名】明細書
【補正対象項目名】０００５
【補正方法】変更
【補正の内容】
【０００５】  筒体かカップ体の内筒部が有り、前記内筒部の上方や外方へ延長して波状、花弁状、鋸の刃状等の任意の間隔で並ぶ凸状片や、じゃばら等の幅広機能箇所、ゴム、伸縮材、の緩みの、また前記内筒部の上端か側面から突き出して、平板状から逆雨樋状、半円状、半球状、Ｖ字状等の凸状体並びに出窓状の凸状部の、前記一つ以上の型で前記内筒部に対し一部ないしは一周して外筒部を設けたことを特徴とする。
【手続補正３】
【補正対象書類名】明細書
【補正対象項目名】００１３
【補正方法】変更
【補正の内容】
【００１３】  図４、図５を用いて硬質材使用の形態を説明する。
図４のａ、ｂは使用端面図、ｃは使用斜視図である。
ａは２ｃに類似し逆雨樋状で、ｂは半円柱か棒状で、内筒部の上端外側を一周した場合である。ｃは管状で一周し、連続が途切れた空間箇所の左右は、側面部の一部が縦割で欠損した形状の、側面部端部（１６）である。
使い方では外筒部の下側を持つ時、膨らみによって落下防止の作用が生じる。ｃの欠損型の場合は他と同様にコップを上側から差し込むか、空いた側から容器をはめる。コップの上側への突き出す長さによっては、空いた側が飲み口箇所（１２）となる。
図５で湯飲み茶わん（１７）を対象にし、部分的に外筒部を有する場合の説明をする。
ａは平面図、ｂは正面図、ｃは透明使用図である。飲み口箇所の高さ位置は持ち方によって変わるので選択となる。使い方は前記同様である。カップ体で底面部があるので、握り方が緩めに出来る。底面方向は水平を示す。
尚、凸状片とは主に扇形の柔軟なシート体であり、上辺に同じ深さの切れ目を入れ、花弁状等の好みの形状を象り欠け所形成ライン（７）によって隙間を設け一周する。コップを密着させて包んで側辺で接合して使用するか、先に接合し立体化してコップを差し込む。凸状体は柔軟な場合と硬質な場合がある。柔軟な場合は凸状片と類似形状にしそれに加えて穴を設ける等で捲り易くし、また持つことで凸部が移動する機能を有する。硬質な場合は前記同様の形状や平板状から逆雨樋状等で、水平方向に、斜め方向に、或いはそれらの混合で上端に固定状で設けるが、先端箇所は、内筒部側には戻らない指が嵌め込められる範囲のカーブで止める。凸状部は凸状体を底面にした出窓状を指す。
コップを持った時、滑り止め用となる凸状体は、下に触れる指幅の半分程度覆う広さが必要で、二箇所に凸状体を設ければ人差し指の中間と親指の先端をあてる。一周して設けても構わず高さ位置を変えてもよい。Ｖ字状が連続する場合は、人差し指や親指をＶとＶの間に添える。
カップ体は、コップとして使用可能なものであり、飲み口箇所の上端を外側に突き出したり、突き出した幅を口に入る大きさに合わせることも可能である。丈を高く設けた場合は、凸状体や凸状部を上端ではなく側面側から突き出して設ける。プラスチックでは製造工程上、凸状部が適する。この場合は凸状体の底面形状は横一状か、雨樋状のようなカーブ状、Ｖ字状による底部の奥行幅分の線状である。つなぎの箇所をなだらかに纏める。凸状部の上端を飲み口箇所として使用することが出来る。
以下、その他の説明を補足する。
蛇腹だけでなく花弁等の凸状片の間に切れ目を有することによって、ホルダー上部が広がり易くなり緩み、中側のコップが少し太くなっても対応でき、捲る場合も捲り易くなる。
ホルダーの内側に吸水性やクッション性を有する材質物を付着して成形する場合、長方形のシート体なら下端側を多めに付着すれば対象のコップの下側に生じる隙間を補うことが出来、下端が水平になる。